【手続補正書】
【提出日】令和1年11月6日(2019.11.6)
【手続補正１】
【補正対象書類名】明細書
【補正対象項目名】００２３
【補正方法】変更
【補正の内容】
【００２３】
また、本発明は、織物検査室内で織物被検材を検査し、当該検査から検査室データを生成するための織物検査室用検査装置に関する。本発明の織物検査室用検査装置は、前記織物被検材と相互作用するように構成されている少なくとも１つのセンサ装置と、前記検査室データを生成するために前記センサ装置に接続されている１つの評価及び制御装置と、前記検査室データをオペレータに出力するために前記評価及び制御装置に接続されている少なくとも１つの出力装置と、を含む。前記評価及び制御装置が、上記の本発明のローカルネットワーク用の中央コンピュータとして構成されているか、又は
前記織物検査室用検査装置が、前記評価及び制御装置に直接に接続されている１つのコンピュータユニットを有し、このコンピュータユニットは、上記の本発明のローカルネットワーク用の中央コンピュータとして構成されている。
【手続補正２】
【補正対象書類名】明細書
【補正対象項目名】００２７
【補正方法】変更
【補正の内容】
【００２７】
さらに、本発明は、製造設備内で織物被検材を監視し、当該監視から製造データを生成するための織物製造監視装置にも関する。本発明の当該織物製造監視装置は、前記織物被検材と相互作用するように構成されている少なくとも１つのセンサ装置と、前記製造データを生成するために前記センサ装置に接続されている１つの評価及び制御装置と、前記製造データをオペレータに出力するために前記評価及び制御装置に接続されている少なくとも１つの出力装置と、を含む。前記評価及び制御装置が、上記のローカルネットワーク用の中央コンピュータとして構成されているか、又は、前記織物製造監視装置が、前記評価及び制御装置に直接に接続されている１つのコンピュータユニットを有し、このコンピュータユニットは、上記のローカルネットワーク用の中央コンピュータとして構成されている。
【手続補正３】
【補正対象書類名】特許請求の範囲
【補正対象項目名】全文
【補正方法】変更
【補正の内容】
【特許請求の範囲】
【請求項１】
織物検査室（３）と製造設備（２）とを有する織物プラント内で織物の品質を管理するためのローカルネットワーク（１）であって、
前記織物検査室（３）内で織物被検材（９）を検査し、当該検査から検査室データを生成するための少なくとも１つの織物検査室用検査装置（３１１〜３１３）と、
前記製造設備（２）内で織物被検材を監視し、当該監視から製造データを生成するための少なくとも１つの織物製造監視装置（２１１〜２１３）と、
１つの中央コンピュータ（１１０）と、
前記少なくとも１つの検査室用検査装置（３１１〜３１３）と前記中央コンピュータ（１１０）との間で通信し、及び／又は前記少なくとも１つの製造監視装置（２１１〜２１３）と前記中央コンピュータ（１１０）との間で通信するための通信手段（１２０）と、を含む当該ローカルネットワーク（１）において、
前記中央コンピュータ（１１０）は、
前記検査室データを少なくとも１つの検査室情報に処理し、前記製造データを少なくとも１つの製造情報に処理するように、及び／又は前記検査室データと前記製造データとを結合して少なくとも１つの監視情報に処理するように構成されていて、及び
前記検査室情報及び前記製造情報又は前記監視情報をオペレータに出力するために少なくとも１つの出力装置（１３０，３３２）に接続されていることを特徴とするローカルネットワーク（１）。
【請求項２】
１つの検査室用検査装置（３１２）又は１つの製造監視装置が、１つの評価及び制御装置（３３１）と、この評価及び制御装置（３３１）に接続されている１つの出力装置（３３２）とを有し、
前記中央コンピュータ（１１０）に接続されている前記出力装置は、前記検査室用検査装置（３１２）又は前記製造監視装置の前記出力装置（３３２）である請求項１に記載のローカルネットワーク（１）。
【請求項３】
前記検査室用検査装置（３１２）又は前記製造監視装置の前記評価及び制御装置（３３１）は、前記中央コンピュータであるか、又は前記中央コンピュータ（１１０）に直接に接続されている請求項２に記載のローカルネットワーク（１）。
【請求項４】
少なくとも１つの検査室用検査装置は、撚糸のパラメータ、特に撚糸の不均一性を測定するための検査室用検査装置（３１２）であり、
前記検査室用検査装置（３１２）は、評価及び制御装置（３３１）を有し、
前記評価及び制御装置（３３１）は、前記中央コンピュータ（１１０）であるか、又は前記中央コンピュータ（１１０）に直接に接続されていて、
少なくとも１つの製造監視装置は、ヤーンクリアラ（２１３）である請求項２に記載のローカルネットワーク（１）。
【請求項５】
前記中央コンピュータ（１１０）は、前記検査室データ及び／又は前記製造データを予め設定されている少なくとも１つの基準に基づいて検査するように構成されていて、及び前記予め設定されている少なくとも１つの基準のうちの少なくとも１つの基準が満たされていない場合に、警報及び／又は推奨を検査室情報、製造情報又は監視情報として生成するように構成されている請求項１〜４のいずれか１項に記載のローカルネットワーク（１）。
【請求項６】
前記中央コンピュータ（１１０）は、オペレータによって制御データを入力するために少なくとも１つの入力装置（３３２）に接続されていて、並びに前記少なくとも１つの検査室用検査装置（３１１〜３１３）及び／又は少なくとも１つの製造監視装置（２１１〜２１３）を制御するように構成されている請求項１〜５のいずれか１項に記載のローカルネットワーク（１）。
【請求項７】
織物検査室（３）内で織物被検材（９）を検査し、当該検査から検査室データを生成するための織物検査室用検査装置（３１２）であって、
前記織物被検材（９）と相互作用するように構成されている少なくとも１つのセンサ装置（３２１）と、
前記検査室データを生成するために前記センサ装置（３２１）に接続されている１つの評価及び制御装置（３３１）と、
前記検査室データをオペレータに出力するために前記評価及び制御装置（３３１）に接続されている少なくとも１つの出力装置（１３０，３３２）と、を含む当該織物検査室用検査装置（３１２）において、
前記評価及び制御装置が、請求項１〜６のいずれか１項に記載のローカルネットワーク（１）用の中央コンピュータとして構成されているか、又は
前記織物検査室用検査装置（３１２）が、前記評価及び制御装置（３３１）に直接に接続されている１つのコンピュータユニット（１１０）を有し、このコンピュータユニット（１１０）は、請求項１〜６のいずれか１項に記載のローカルネットワーク（１）用の中央コンピュータ（１１０）として構成されていることを特徴とする織物検査室用検査装置（３１２）。
【請求項８】
前記中央コンピュータ（１１０）は、オペレータによって制御データを入力するために少なくとも１つの入力装置（３３２）に接続されていて、及び前記ローカルネットワーク（１）内に存在する少なくとも１つの織物製造監視装置（２１１〜２１３）を制御するように構成されている請求項７に記載の織物検査室用検査装置（３１２）。
【請求項９】
製造設備（２）内で織物被検材を監視し、当該監視から製造データを生成するための織物製造監視装置（２１１〜２１３）であって、
前記織物被検材と相互作用するように構成されている少なくとも１つのセンサ装置と、  前記製造データを生成するために前記センサ装置に接続されている１つの評価及び制御装置と、
前記製造データをオペレータに出力するために前記評価及び制御装置に接続されている少なくとも１つの出力装置と、を含む当該織物製造監視装置（２１１〜２１３）において、
前記評価及び制御装置が、請求項１〜６のいずれか１項に記載のローカルネットワーク（１）用の中央コンピュータとして構成されているか、又は
前記織物製造監視装置（２１１〜２１３）が、前記評価及び制御装置に直接に接続されている１つのコンピュータユニットを有し、このコンピュータユニットは、請求項１〜６のいずれか１項に記載のローカルネットワーク（１）用の中央コンピュータ（１１０）として構成されていることを特徴とする織物製造監視装置（２１１〜２１３）。
【請求項１０】
織物検査室（３）と製造設備（２）とを有する織物製造プラント内で織物の品質を管理するための方法であって、
少なくとも１つの織物被検材（９）が、前記織物検査室（３）内で検査され、検査室データが、当該検査から生成され、
少なくとも１つの織物被検材が、前記製造設備（２）内で監視され、製造データが、当該監視から生成される当該方法において、
前記検査室データが、少なくとも１つの検査室情報に処理され、前記製造データが、少なくとも１つの製造情報に処理され、及び／又は、前記検査室データと前記製造データとが、結合して少なくとも１つの監視情報に処理され、前記検査室情報及び前記製造情報又は前記監視情報が、オペレータに出力されることを特徴とする方法。
【請求項１１】
前記検査室データ及び／又は前記製造データが、予め設定されている少なくとも１つの基準に基づいて検査され、前記予め設定されている少なくとも１つの基準のうちの少なくとも１つの基準が満たされていない場合に、警報及び／又は推奨が、検査室情報、製造情報又は監視情報として生成される請求項１０に記載の方法。
【請求項１２】
前記製造設備（２）内で進行する製造工程（２０）の個々の工程ステップ（２０１〜２０９）ごとの１つの織物被検材の典型的な通過時間が、前もって決定され記憶され、
当該取得した検査室データと製造データとが、少なくとも１つの前記検査室用検査装置（３１１〜３１３）における測定時間と、少なくとも１つの前記製造監視装置（２１１〜２１３）における測定時間と、少なくとも１つの前記検査室用検査装置（３１１〜３１３）の身元確認と、少なくとも１つの前記製造監視装置（２１１〜２１３）の身元確認と、当該記憶された通過時間とに基づいて、それぞれ１つの特定の被検材に割り当てられる請求項１０又は１１に記載の方法。